(57)【要約】      （修正有）【課題】ＶＬＡＮ環境の設定変更にかかる工数を削減する。【解決手段】ゲートキーパは、ネットワークを介して新しいＶＬＡＮ−ＩＤまたは／および優先制御レベルの設定データを配下のＨ．３２３端末やゲートウェイに送信し、端末およびゲートウェイのそれぞれは、送られた設定データを受信して、自端末のフラッシュＲＯＭに記憶しているＶＬＡＮ−ＩＤおよび優先制御レベルの設定データを、受信した新しい設定データに書き換え、設定データの書き換えが完了したら、新しい設定で再起動し、ゲートキーパは、再起動することを確認したら、自装置の記憶手段に記憶しているＶＬＡＮ−ＩＤおよび優先制御レベルの設定データを、送信した新しいＶＬＡＮ−ＩＤまたは／および優先制御レベルの設定データに書き換える。【選択図】図１
2006100901.tif 000002
【特許請求の範囲】
【請求項１】
複数の端末とこれらの端末およびゲートウェイを制御および管理するゲートキーパとを備えて構築されるＶＬＡＮ環境のＶＬＡＮ−ＩＤまたは／および優先制御レベルの設定を変更するＶＬＡＮの設定変更方式において、
上記ゲートキーパは、ネットワークを介して新しいＶＬＡＮ−ＩＤまたは／および優先制御レベルの設定データを配下の端末およびに送信し、
上記端末のそれぞれは、上記ゲートキーパから送られた設定データを受信して、自端末の記憶手段に記憶しているＶＬＡＮ−ＩＤおよび優先制御レベルの設定データを、上記受信した新しいＶＬＡＮ−ＩＤまたは／および優先制御レベルの設定データに書き換え、設定データの書き換えが完了したら、新しい設定で再起動し、
上記ゲートキーパは、上記端末の全てが設定データを書き換えて再起動することを確認したら、自装置の記憶手段に記憶しているＶＬＡＮ−ＩＤおよび優先制御レベルの設定データを、上記送信した新しいＶＬＡＮ−ＩＤまたは／および優先制御レベルの設定データに書き換える
ことを特徴とするＶＬＡＮの設定変更方式。
【発明の詳細な説明】
【技術分野】
【０００１】
本発明は、構内ＶｏＩＰ（Voice Over Internet Protocol）通信システムなどに構築されるＶＬＡＮ（仮想ＬＡＮ）環境において、ＩＥＥＥ８０２．１Ｑ／８０２．１ｐに準拠したＶＬＡＮ−ＩＤ（ＶＬＡＮグループ情報）または／および優先制御レベルの設定を変更するＶＬＡＮの設定変更方式に関する。
【背景技術】
【０００２】
ＶＬＡＮ環境が構築される構内ＶｏＩＰ通信システムは、ＩＴＵ−Ｔ（International Telecommunication Union‐Telecommunication Standerdization Sector）のＨ．３２３に準拠した端末（Ｈ．３２３端末）などのＩＰ（InterNet Protocol）電話や、内線電話などの一般端末を収容したゲートウェイなどの複数のＶｏＩＰ端末と、これらの端末を制御および管理するゲートキーパとを備えて構成される。
【０００３】
ゲートキーパが管理するＨ．３２３端末およびゲートウェイでは、ＩＥＥＥ８０２．１Ｑ／８０２．１ｐに準拠したＶＬＡＮ−ＩＤとともに、ＬＡＮトラフィックの増加によって発生するであろうパケットの伝送遅延やパケット損失等による音質の劣化を防ぐために、主にＩＥＥＥ８０２．１ｐ／８０２．１Ｑに準拠した音声パケットの優先制御レベルを設定して、音声の優先制御をしている。
【０００４】
このような従来のＶｏＩＰ通信システムでは、Ｈ．３２３端末やゲートウェイなどのゲートキーパ配下の端末において、ＶＬＡＮ−ＩＤおよび通信に使用するパケットの優先制御レベルは、図３に示すように、それぞれの端末独自の保守コンソール（２３２ＣケーブルやＬＡＮクロスケーブルで端末に接続される）もしくは工注スイッチ（端末に設けられている）によって、端末ごとに個別に、設置時の設定や他の端末の設置／移設に伴った設定の追加／変更がなされる。
【０００５】
【非特許文献１】「ネットワーク大事典」日経ＢＰ社、２００４年３月３１日、ｐ２３７
【発明の開示】
【発明が解決しようとする課題】
【０００６】
しかしながら、上記従来のＶＬＡＮの設定変更手順では、ゲートキーパが管理する端末数が多く、端末の設置場所も多岐にわたる場合、端末の設置や移設に伴ったＶＬＡＮ環境の設定変更、およびＬＡＮトラフィックの増加による運用途中からのＶＬＡＮ環境の設定変更にかかる工数が膨大になるという課題があった。
【０００７】
本発明は、このような従来の課題を解決するためになされたものであり、ＶＬＡＮ環境の設定変更にかかる工数を削減することを目的とする。
【課題を解決するための手段】
【０００８】
本発明のＶＬＡＮの設定変更方式は、
複数の端末とこれらの端末を制御および管理するゲートキーパとを備えて構築されるＶＬＡＮ環境のＶＬＡＮ−ＩＤまたは／および優先制御レベルの設定を変更するＶＬＡＮの設定変更方式において、
上記ゲートキーパは、ネットワークを介して新しいＶＬＡＮ−ＩＤまたは／および優先制御レベルの設定データを配下の端末に送信し、
上記端末のそれぞれは、上記ゲートキーパから送られた設定データを受信して、自端末の記憶手段に記憶しているＶＬＡＮ−ＩＤおよび優先制御レベルの設定データを、上記受信した新しいＶＬＡＮ−ＩＤまたは／および優先制御レベルの設定データに書き換え、設定データの書き換えが完了したら、新しい設定で再起動し、
上記ゲートキーパは、上記端末の全てが設定データを書き換えて再起動することを確認したら、自装置の記憶手段に記憶しているＶＬＡＮ−ＩＤおよび優先制御レベルの設定データを、上記送信した新しいＶＬＡＮ−ＩＤまたは／および優先制御レベルの設定データに書き換える
ことを特徴とするものである。
【発明の効果】
【０００９】
本発明によれば、ＶＬＡＮ−ＩＤおよび通信上のパケットの優先制御レベルの設定を、ゲートキーパがネットワークを介して一括して変更できるので、端末の設置や移設に伴ったＶＬＡＮ環境の設定変更、およびＬＡＮトラフィックの増加による運用途中からのＶＬＡＮ環境の設定変更にかかる工数を削減できるという効果がある。
【発明を実施するための最良の形態】
【００１０】
図１は本発明の実施の形態の構内ＶｏＩＰ通信システムの構成図である。この図１の実施の形態の通信システムは、ゲートキーパ本体１ａおよびゲートキーパコンソール１ｂからなるゲートキーパ１と、Ｈ．３２３端末（Ｈ．３２３電話端末）２と、一般端末（内線電話）３ａ，３ｂを収容するゲートウェイ３と、ルータ４と、パソコン（ＰＣ）５ａ，５ｂと、ＬＡＮスイッチ（ＬＡＮ−ＳＷ）６とを備えて構成されており、ＶＬＡＮ環境が構築される。ゲートキーパ本体１ａ、ゲートキーパコンソール１ｂ、ゲートウェイ２、Ｈ．３２３端末３、ルータ４、およびパソコン５ａ，５ｂは、ＬＡＮスイッチ６に接続されており、ＶＬＡＮ環境下でＶｏＩＰ通信をする。
【００１１】
ゲートキーパ１は、ＬＡＮスイッチ６に接続されたＨ．３２３端末２、ゲートウェイ３、ルータ４、およびパソコン５ａ，５ｂを、配下の端末として、これらの端末を制御および管理する。このゲートキーパ１は、ゲートキーパコンソール１ｂから配下の端末に、ＩＰアドレスの設定データを送信するプログラムを有する。さらに、このゲートキーパ１は、ＶＬＡＮ−ＩＤおよび優先制御レベルの設定データを書き込む不揮発の記憶手段と、上記ＩＰアドレスを送信するのと同様にして、ゲートキーパコンソール１ｂから配下の端末に、ネットワークを介してＴＣＰ／ＩＰ通信によりＶＬＡＮ−ＩＤおよび優先制御レベルの設定データを送信するプログラムと、設定データを変更する配下の端末のリンクが全て切断されたこと（新しいデータで再起動すること）を確認することにより、設定データを変更する配下の端末が全て送信した設定データに書き換えて再起動することを確認する手段と、上記配下の端末の再起動を確認したら、自装置においてのＶＬＡＮ−ＩＤおよび優先制御レベルの設定データを、上記送信した新しい設定データに書き換える手段とを有する。
【００１２】
Ｈ．３２３端末２は、ＶＬＡＮの構築および音声パケットの優先制御を可能にするＩＴＵ−ＴのＨ．３２３に準拠したＶｏＩＰ端末であって、ＶＬＡＮ−ＩＤおよび優先制御レベルの設定データを書き込むフラッシュＲＯＭと（上記設定データが電源断時に消えないようにフラッシュＲＯＭに書き込む）、ゲートキーパ１から送られた新しいＶＬＡＮ−ＩＤおよび優先制御レベルの設定データを受信する手段と、上記フラッシュＲＯＭに書き込んである設定データを上記受信した新しい設定データに書き換える手段と、上記設定データの書き換えが完了したら、その書き換えた新しい設定データに従って再起動（リスタート）する手段とを有する。
【００１３】
ゲートウェイ３は、収容する一般端末３ａ，３ｂをＬＡＮ網に接続して、ＶＬＡＮ環境の構築および音声パケットの優先制御を可能にするインターワークのＶｏＩＰ端末であって、上記Ｈ．３２３端末２と同様に、ＶＬＡＮ−ＩＤおよび優先制御レベルの設定データを書き込むフラッシュＲＯＭと（上記設定データが電源断時に消えないようにフラッシュＲＯＭに書き込む）、ゲートキーパ１から送られた新しいＶＬＡＮ−ＩＤおよび優先制御レベルの設定データを受信する手段と、上記フラッシュＲＯＭに書き込んである設定データを上記受信した新しい設定データに書き換える手段と、上記設定データの書き換えが完了したら、その書き換えた新しい設定データに従って再起動（リスタート）する手段とを有する。
【００１４】
本発明の実施の形態は、ＶＬＡＮ−ＩＤおよび優先制御レベル（優先制御設定の有無を含む）の設定データを送信するプログラムを有するゲートキーパ１と、フラッシュＲＯＭ内のＶＬＡＮ−ＩＤおよび優先制御レベルの設定データを、ゲートキーパ１から送られたＶＬＡＮ−ＩＤおよび優先制御レベルの設定データに書き換え、その書き換えた設定データで再起動する機能を有する複数のＶｏＩＰ端末（Ｈ．３２３端末２およびゲートウェイ３）とにより、ゲートキーパ１の配下の複数のＶｏＩＰ端末のＶＬＡＮ−ＩＤおよび優先制御レベルの設定を、ゲートキーパ１から一括して変更することを特徴とする。
【００１５】
図２は本発明の実施の形態においてのＶＬＡＮ−ＩＤおよび優先制御レベルの設定の変更（優先制御の設定の追加を含む）手順を説明するフローチャートである。この図２はＨ．３２３端末２およびゲートウェイ３においての設定を変更する例である。
【００１６】
設定変更前のＶＬＡＮ環境においては、ゲートキーパ１とＨ．３２３端末２はリンクを確立しているとともに（ステップＳ１）、ゲートキーパ１とゲートウェイ３もリンクを確立している（ステップＳ２）。
【００１７】
ゲートキーパ１は、上記のようにリンクを確立しているＨ．３２３端末２に、ＴＣＰ／ＩＰ通信により、Ｈ．３２３端末２の新しいＶＲＡＮ−ＩＤおよび優先制御レベルの設定データを送信するとともに（ステップ３）、上記のようにリンクを確立しているゲートウェイ３に、ＴＣＰ／ＩＰ通信により、ゲートウェイ３の新しいＶＲＡＮ−ＩＤおよび優先制御レベルの設定データを送信する（ステップＳ４）。
【００１８】
Ｈ．３２３端末２は、ゲートキーパ１から送信されたデータを、ＬＡＮスイッチ６を介して受信し、その受信した新たなＶＬＡＮ−ＩＤおよび優先制御レベルの設定データを自端末のフラッシュＲＯＭに書き込む（ステップＳ５）。同様に、ゲートウェイ３は、ゲートキーパ１から送信されたデータを、ＬＡＮスイッチ６を介して受信し、その受信した新たなＶＬＡＮ−ＩＤおよび優先制御レベルの設定データを自端末のフラッシュＲＯＭに書き込む（ステップＳ６）。
【００１９】
そして、Ｈ．３２３端末２は、新たな設定データの書き込みを完了したら、その更新した設定データに従って再起動する（ステップＳ７）。同様に、ゲートウェイ３も、新たな設定データの書き込みを完了したら、その更新した設定データに従って再起動する（ステップＳ８）。
【００２０】
ＶＬＡＮ−ＩＤを書き換えたＨ．３２３端末２は、ゲートキーパ１との通信が不可となってリンクが切断される（ステップＳ９）。同様に、ＶＬＡＮ−ＩＤを書き換えたゲートウェイ３も、上記再起動により、ゲートキーパ１との通信が不可となってリンクが切断される（ステップＳ１０）。
【００２１】
ゲートキーパ１は、設定変更をする配下のＨ．３２３端末２およびゲートウェイ３のリンクが全て切断されたこと（Ｈ．３２３端末２およびゲートウェイ３が新しい設定で再起動されること）を確認したら（ステップＳ１１）、自装置に書き込んであるＶＬＡＮ−ＩＤおよび優先制御レベルの設定データを、新しい設定データに独自で書き換える（ステップＳ１２）。
【００２２】
以上により、ゲートキーパ１およびその配下のＨ．３２３端末２，ゲートウェイ３においてのＶＬＡＮ−ＩＤおよび優先制御レベルの設定データがそれぞれ新しい設定データに書き換えられ、ＬＡＮスイッチ６では更新された設定データに従ってフレーム交換がなされるようになる。
【００２３】
これによって、ゲートキーパ１とＨ．３２３端末２の上記更新したＶＬＡＮ環境でのリンクが再確立されるとともに（ステップＳ１３）、ゲートキーパ１とゲートウェイ３の上記更新したＶＬＡＮ環境でのリンクが再確立され（ステップＳ１４）、上記更新したＶＬＡＮ環境においての動作が可能になる。
【００２４】
このように、レイヤ３スイッチ等の設定をする前にＴＣＰ／ＩＰ通信によって新しいＶＬＡＮ−ＩＤおよび優先制御レベルの設定データをゲートキーパ１からＨ．３２３端末２（ＶｏＩＰ端末）やゲートウェイ３に送信するプログラムをゲートキーパ１のソフトウェアに追加する（そのような機能をゲートキーパに追加する）とともに、自端末のフラッシュＲＯＭに書き込んであるＶＬＡＮ−ＩＤおよび優先制御レベルの設定データをゲートキーパ１から受信した新しい設定データに書き換えて再起動する機能をＨ．３２３端末２やゲートウェイ３に追加しておく。
【００２５】
そして、ＶＬＡＮ−ＩＤおよび優先制御レベルの設定変更前のＶＬＡＮ環境で、ゲートキーパ１において上記プログラムを実行し、リンクを確立しているゲートキーパ１からその配下のＨ．３２３端末２やゲートウェイ３に、新しいＶＬＡＮ−ＩＤおよび優先制御レベルの設定データを送り、Ｈ．３２３端末２やゲートウェイ３において設定データを書き換える。
【００２６】
ＶＬＡＮ−ＩＤを書き換えたＨ．３２３端末２やゲートウェイ３は、ゲートキーパ１との通信が不可となり、待機状態になる。ゲートキーパ１は、設定データを変更する配下の端末のリンクが全て切断されたこと（新しいデータで再起動すること）を確認後、独自でＶＬＡＮ−ＩＤおよび優先制御レベルの設定データを書き換える。これにより、ＬＡＮスイッチ６は更新されたＶＬＡＮ設定でフレーム交換を実施でき、更新されたＶＬＡＮ環境での動作が可能となる。
【００２７】
従来では、ＶｏＩＰ通信システムのＬＡＮ設備の更新や移設に伴ったＶＬＡＮ環境の設定変更、およびＬＡＮトラフィックの増加によって音質を確保する必要を生じた場合の運用途中からのＶＬＡＮ環境の設定変更は、それぞれのＶｏＩＰ端末に個別の保守コンソールや工注スイッチによってＶｏＩＰ端末やそれぞれの設置場所において個別に作業する必要があったため、ゲートキーパが管理するＶｏＩＰ端末数が多く、ＶｏＩＰ端末の設置場所も多岐にわたる場合に、ＶＬＡＮ環境の設定変更にかかる工数が膨大になっていた。
【００２８】
これに対し、本実施の形態では、ゲートキーパからＶＬＡＮ−ＩＤおよび優先制御レベルの設定データをＴＣＰ／ＩＰ通信によって配下のＶｏＩＰ端末（Ｈ．３２３端末２およびゲートウェイ３）に送信し、ＶｏＩＰ端末が、受信した設定データを自端末に設定することにより、ゲートキーパが管理するＶｏＩＰ端末数が多く、ＶｏＩＰ端末の設置場所が多岐にわたる場合でも、設定変更にかかる工数を削減することができる。
【００２９】
以上のように本実施の形態によれば、ＶＬＡＮ−ＩＤおよび通信上のパケットの優先制御レベルの設定を、ゲートキーパ１からの一元管理によりネットワークを介して一括して変更できるので、端末の設置や移設に伴ったＶＬＡＮ環境の設定変更、およびＬＡＮトラフィックの増加による運用途中からのＶＬＡＮ環境の設定変更にかかっていた膨大な工数を削減できる。
【００３０】
上記実施の形態では、ＶｏＩＰ端末であるＨ．３２３端末２やゲートウェイ３に、そのＶＬＡＮ設定データをゲートキーパ１から受信した新しい設定データに書き換えて再起動する機能を設けたが、このような動作をＨ．３２３端末２やゲートウェイ３に実行させるプログラムを、ゲートキーパ１から新しい設定データとともに送信するようにすることも可能である。
【図面の簡単な説明】
【００３１】
【図１】本発明の実施の形態のＶＬＡＮ通信システムの構成図である。
【図２】本発明の実施の形態のＶＬＡＮ通信システムにおいてのＶＬＡＮ−ＩＤおよび優先制御レベルの設定の変更手順を説明するフローチャートである。
【図３】従来のＶＬＡＮ−ＩＤおよび優先制御レベルの設定の変更手順を説明する図である。
【符号の説明】
【００３２】
１  ゲートキーパ
２  Ｈ．３２３端末
３  ゲートウェイ
４  ルータ
５ａ，５ｂ  パソコン
６  ＬＡＮスイッチ
【図１】
2006100901.tif 000003
【図２】
2006100901.tif 000004
【図３】
2006100901.tif 000005